(57)【要約】【課題】手差しトレイを使用する印刷において、手差しトレイへの用紙サイズの設定の利便性を向上させる印刷装置を提供する。【解決手段】印刷用紙を収納したカセットトレイから給紙される印刷用紙と、手差しトレイから給紙される印刷用紙とを混在させて印刷を行う指示を受け付けると、カセットトレイに設定されている用紙サイズに基づいて、手差しトレイに設定される用紙サイズを特定する。その特定された用紙サイズを手差しトレイに設定し、カセットトレイから給紙される印刷用紙と、用紙サイズが設定された手差しトレイから給紙される印刷用紙とを混在させて印刷を行う。【選択図】図６
2014040049.tif 000002
【特許請求の範囲】
【請求項１】
複数の用紙サイズの印刷用紙を給紙可能な手差しトレイと、カセットトレイとを備える印刷装置であって、
印刷用紙を収納した前記カセットトレイから給紙される印刷用紙と、前記手差しトレイから給紙される印刷用紙とを混在させて印刷を行う指示を受け付ける指示受付手段と、
前記指示受付手段により前記指示を受け付けると、前記カセットトレイに設定されている用紙サイズに基づいて、前記手差しトレイに設定される用紙サイズを特定する特定手段と、
前記特定手段により特定された用紙サイズを前記手差しトレイに設定する設定手段と、
前記カセットトレイから給紙される印刷用紙と、前記設定手段により用紙サイズが設定された前記手差しトレイから給紙される印刷用紙とを混在させて印刷を行う印刷手段と、
を備えることを特徴とする印刷装置。
【請求項２】
前記特定手段は、
前記カセットトレイに設定されている用紙サイズに基づいて、前記手差しトレイに設定され得る複数の用紙サイズの一覧を表示部に表示する表示制御手段と、
前記一覧から用紙サイズの選択を受け付ける選択受付手段と、をさらに備え、
当該選択された用紙サイズを前記手差しトレイに設定される用紙サイズとして特定する、ことを特徴とする請求項１に記載の印刷装置。
【請求項３】
複数の用紙サイズの原稿が混在した原稿束を光学的に読み取って読取データを生成する読取手段、をさらに備え、
前記指示は、前記読取データに基づいて印刷を行うことを指示する、ことを特徴とする請求項１又は２に記載の印刷装置。
【請求項４】
前記用紙サイズとは、印刷用紙の搬送方向の先端に対応する当該印刷用紙の辺の長さである、ことを特徴とする請求項１乃至３のいずれか１項に記載の印刷装置。
【請求項５】
複数の用紙サイズの印刷用紙を給紙可能な手差しトレイと、カセットトレイとを備える印刷装置であって、
複数の用紙サイズの印刷用紙を混在させて印刷を行う指示を受け付ける指示受付手段と、
前記指示受付手段により前記指示を受け付けると、当該複数の用紙サイズの印刷用紙それぞれを収納した各カセットトレイから給紙される印刷用紙を用いて印刷を行う印刷手段と、
用紙切れを検出し、当該印刷を中断する印刷制御手段と、
前記用紙切れが検出されたカセットトレイに設定されている用紙サイズを前記手差しトレイに設定する設定手段と、
を備えることを特徴とする印刷装置。
【請求項６】
前記手差しトレイに印刷用紙が載置されたことを検出する検出手段、をさらに備え、
前記印刷制御手段は、前記検出手段により、前記設定手段により設定された用紙サイズの印刷用紙の載置を検出すると、当該中断された印刷を再開する、ことを特徴とする請求項５に記載の印刷装置。
【請求項７】
複数の用紙サイズの印刷用紙を給紙可能な手差しトレイと、カセットトレイとを備える印刷装置で実行される印刷方法であって、
前記印刷装置の指示受付手段が、印刷用紙を収納した前記カセットトレイから給紙される印刷用紙と、前記手差しトレイから給紙される印刷用紙とを混在させて印刷を行う指示を受け付ける指示受付工程と、
前記印刷装置の特定手段が、前記指示受付工程で前記指示を受け付けると、前記カセットトレイに設定されている用紙サイズに基づいて、前記手差しトレイに設定される用紙サイズを特定する特定工程と、
前記印刷装置の設定手段が、前記特定工程で特定された用紙サイズを前記手差しトレイに設定する設定工程と、
前記印刷装置の印刷手段が、前記カセットトレイから給紙される印刷用紙と、前記設定工程で用紙サイズが設定された前記手差しトレイから給紙される印刷用紙とを混在させて印刷を行う印刷工程と、
を有することを特徴とする印刷方法。
【請求項８】
複数の用紙サイズの印刷用紙を給紙可能な手差しトレイと、カセットトレイとを備える印刷装置で実行される印刷方法であって、
前記印刷装置の指示受付手段が、複数の用紙サイズの印刷用紙を混在させて印刷を行う指示を受け付ける指示受付工程と、
前記印刷装置の印刷手段が、前記指示受付工程で前記指示を受け付けると、当該複数の用紙サイズの印刷用紙それぞれを収納した各カセットトレイから給紙される印刷用紙を用いて印刷を行う印刷工程と、
前記印刷装置の印刷制御手段が、用紙切れを検出し、当該印刷を中断する印刷制御工程と、
前記印刷装置の設定手段が、前記用紙切れが検出されたカセットトレイに設定されている用紙サイズを前記手差しトレイに設定する設定工程と、
を有することを特徴とする印刷方法。
【発明の詳細な説明】
【技術分野】
【０００１】
本発明は、手差しトレイから給紙可能な印刷装置および印刷方法に関する。
【背景技術】
【０００２】
複写機やプリンタなどの画像形成装置には、用紙を供給する給紙部として、カセットトレイの他に、手差しトレイが備えられていることがある。ユーザは、この手差しトレイを使用することにより、多様な用紙種類に対しての印刷を容易に行うことができる。しかしながら、その際には、手差しトレイにセットされた用紙サイズを画像形成装置に認識させるための設定操作が必要となる。その設定操作を適切に行わなければ、用紙に対して適切に印刷を行うことができない（いわゆるミスコピー）。例えば、セットされた用紙サイズと設定された原稿サイズとが異なるために、用紙長の検知ミスを生じてしまい、その結果、ジャムが発生してしまう。特許文献１には、手差し用紙のサイズに応じた画像形成を行う方法が記載されている。
【先行技術文献】
【特許文献】
【０００３】
【特許文献１】特開平１１−５２７９９号公報
【発明の概要】
【発明が解決しようとする課題】
【０００４】
例えば、コピーを行う際に手差しトレイの用紙サイズを指定する方法として、ユーザが、操作パネル上に複数個用意した用紙サイズキーから、使用する手差し用紙サイズを指定する方法がある。しかしながら、その方法では、操作パネル上に、画像形成装置がサポートしている全ての用紙サイズを用紙サイズキーとして表示することになるので、用紙サイズの選択肢が多くなり、ユーザの利便性を損なってしまう。
【０００５】
本発明の目的は、このような従来の問題点を解決することにある。上記の点に鑑み、本発明は、手差しトレイを使用する印刷において、手差しトレイへの用紙サイズの設定の利便性を向上させる印刷装置および印刷方法を提供することを目的とする。
【課題を解決するための手段】
【０００６】
上記課題を解決するため、本発明に係る印刷装置は、複数の用紙サイズの印刷用紙を給紙可能な手差しトレイと、カセットトレイとを備える印刷装置であって、印刷用紙を収納した前記カセットトレイから給紙される印刷用紙と、前記手差しトレイから給紙される印刷用紙とを混在させて印刷を行う指示を受け付ける指示受付手段と、前記指示受付手段により前記指示を受け付けると、前記カセットトレイに設定されている用紙サイズに基づいて、前記手差しトレイに設定される用紙サイズを特定する特定手段と、前記特定手段により特定された用紙サイズを前記手差しトレイに設定する設定手段と、前記カセットトレイから給紙される印刷用紙と、前記設定手段により用紙サイズが設定された前記手差しトレイから給紙される印刷用紙とを混在させて印刷を行う印刷手段と、を備えることを特徴とする。
【発明の効果】
【０００７】
本発明によると、手差しトレイを使用する印刷において、手差しトレイへの用紙サイズの設定の利便性を向上させることができる。
【図面の簡単な説明】
【０００８】
【図１】画像形成装置の機能に着目したブロック構成を示す図である。
【図２】画像形成装置のハードウエアに着目したブロック構成を示す図である。
【図３】画像形成装置の外観を示す図である。
【図４】図３の手差しトレイを上から見た図である。
【図５】手差しトレイにセットされる用紙を設定するための設定画面を示す図である。
【図６】応用機能を手差しトレイを用いて実行する際の処理の手順を示す図である。
【図７】応用機能を手差しトレイを用いて実行する際の処理の手順を示す他の図である。
【図８】用紙選択リストを表示する画面を示す図である。
【図９】実施例１における手差し用紙サイズを特定する処理の手順を示す図である。
【図１０】用紙切れの場合の手差し用紙サイズ候補を表示する画面を示す図である。
【図１１】用紙切れの場合の手差し用紙サイズを特定する処理の手順を示す図である。
【図１２】原稿サイズ混載機能の設定画面を示す図である。
【図１３】原稿サイズ混載機能の詳細設定画面を示す図である。
【図１４】用紙選択リストを表示する画面を示す図である。
【図１５】実施例２における手差し用紙サイズを特定する処理の手順を示す図である。
【図１６】用紙切れの場合の手差し用紙サイズを特定する処理の手順を示す図である。
【図１７】用紙選択リストを表示する画面を示す図である。
【図１８】実施例３における手差し用紙サイズを特定する処理の手順を示す図である。
【図１９】回転ソート機能の設定画面を示す図である。
【図２０】回転ソート機能の詳細設定画面を示す図である。
【発明を実施するための形態】
【０００９】
以下、添付図面を参照して本発明の好適な実施例を詳しく説明する。尚、以下の実施例は特許請求の範囲に係る本発明を限定するものでなく、また本実施例で説明されている特徴の組み合わせの全てが本発明の解決手段に必須のものとは限らない。なお、同一の構成要素には同一の参照番号を付して、説明を省略する。
【００１０】
〔実施例１〕
［装置概要］
図１は、本発明に係る実施例における画像形成装置１００（以下、印刷装置ともいう）の機能に着目したブロック構成を示す図である。画像形成装置１００として、例えば、印刷機能、スキャナ機能、ファックス機能等が一体化された多機能周辺機器（ＭＦＰ：Ｍｕｌｔｉ−Ｆｕｎｃｔｉｏｎ  Ｐｅｒｉｐｈｅｒａｌ）が用いられる。図１に示すように、画像形成装置１００は、コントローラ１０１、スキャナエンジン１０２、プリンタエンジン１０３、フィニッシャ１０４、ネットワークインタフェース１０５、操作部１０６を含む。コントローラ１０１は、ＣＰＵや、ＲＯＭやＲＡＭといった記憶領域を含み、画像形成装置１００全体を制御する。ＣＰＵがＲＯＭ等に格納されたプログラムをＲＡＭに展開して実行することによって、後述する各フローチャートの処理や、画像形成装置１００の各機能を実現する。スキャナエンジン１０２は、コントローラ１０１からの制御によりスキャン機能を実現する。例えば、スキャナエンジン１０２は、原稿台にセット（載置）された原稿を光学的に読み取るラインセンサや、流し読みの場合の原稿の搬送機構等である。
【００１１】
プリンタエンジン１０３は、コントローラ１０１からの制御によりプリント機能を実現する。プリンタエンジン１０３は、レーザビーム記録方式の場合には、例えば、レーザビームが照射される感光ドラムである。また、プリンタエンジン１０３は、インクジェット記録方式の場合には、例えば、記録ヘッドである。フィニッシャ１０４は、プリンタエンジン１０３の後段に接続されており、コントローラ１０１からの制御により、プリンタエンジンで印刷された複数の記録媒体（印刷用紙等）を纏めてステイプル処理したり、各記録媒体に対して折り処理等を行う。ネットワークインタフェース１０５は、例えば、イーサネット（登録商標）に対応したインタフェースであり、ネットワークを介した双方向通信をコントローラ１０１に提供する。コントローラ１０１は、ネットワークインタフェース１０５により、ＰＣ１０７と相互に通信可能となる。操作部１０６は、ＬＣＤ等のディスプレイやキーボード等であり、画像形成装置１００の状態等を表示したり、ユーザからの各機能の実行指示を受け付ける。
【００１２】
図２は、画像形成装置１００のハードウエアに着目したブロック構成を示す図である。以下、図１を参照しながら図２を説明する。コントローラ１０１において、ＣＰＵ２０１は、ＲＯＭ２１０に格納されたプログラムを、ＲＡＭ２０９にロードして実行することにより、画像形成装置１００全体の動作を制御する。また、ＣＰＵ２０１は、バス２０２を介して、操作部１０６に対応する液晶ディスプレイ等の表示部２０６やキーボード２０７、ＲＡＭ２０９、ＲＯＭ２１０と相互に通信を行う。ＨＤＤ２０３は、ハードディスクドライブであり、操作部１０６やネットワークインタフェース１０５を介して入力された各種情報を記憶する。
【００１３】
プリンタエンジン１０３に対応するプリンタ２０４は、操作部１０６やネットワークインタフェース１０５を介して入力された画像データに基づいて、記録媒体上に画像を印刷する。スキャナエンジン１０２に対応するスキャナ２０５は、ユーザが原稿台にセットした原稿を光学的に読み取って生成された画像データ（読取データ）を、ＨＤＤ２０３やＲＡＭ２０９等に格納する。また、スキャナ２０５は、原稿給送装置を含む場合には、原稿給送装置にセットされた複数枚の原稿を順次、センサによる読取位置まで搬送して、原稿の読取を行う。
【００１４】
液晶ディスプレイ２０６は、印刷結果情報等、ユーザに通知すべき各種情報を表示する。また、液晶ディスプレイ２０６は、液晶上にタッチパネルシートが貼られており、システムの操作画面やソフトキーを表示する。また、液晶ディスプレイ２０６は、表示されたキーがユーザにより押下された際に、そのキー情報をＣＰＵ２０１に送信する。キーボード２０７は、ユーザによる各種機能の実行指示を受け付ける。ネットワークインタフェース２０８は、画像形成装置１００をネットワーク２１３に接続し、ネットワーク２１３上のＰＣ１０７との間でデータを送受信する。画像処理部２１１は、ＲＡＭ２０９に記憶されている画像データに対して、変倍や色変換等の各種画像処理を実行する。
【００１５】
図３は、画像形成装置１００の外観を示す図である。スキャナ部３０１は、原稿上に光を照射してその反射光をＣＣＤラインセンサにより受光し、電気的な画像データを得る。ＣＰＵ２０１は、得られた電気的な画像データに基づいて、原稿のカラー判定やサイズ判定を行うことができる。プリンタ部３０２は、画像データに基づいて記録媒体上に画像を印刷する。コピー機能においては、プリンタ部３０２は、スキャナ部３０１により得られた画像データに基づいて印刷する。また、プリンタ部３０２は、印刷後にステイプル処理や製本等の折り処理を行うことができる。印刷動作の開始及び停止は、ＣＰＵ２０１により制御される。操作部３０３は、液晶ディスプレイ２０６やキーボード２０７を含む。手差しトレイ３０４は、複数のサイズの印刷用紙を給紙可能であり、ユーザは、所望のサイズの印刷用紙をセットする。カセットトレイ３０５は、Ａ４やＡ３サイズ等、予め定められた各用紙サイズの印刷用紙を収納している。
【００１６】
図４は、図３の手差しトレイ３０４を上から見た図である。図４（ａ）の手差しトレイ４０１（手差しトレイ３０４に対応）は、レール４０３上を移動可能なガイド４０２を有する。ユーザは、セットする用紙サイズに合わせて、ガイド４０２の位置を調整することができる。例えば、ユーザがＡ４サイズの用紙を縦向きで載置する場合には、図４（ｂ）に示すように、ガイド４０２の位置を調整する。また、例えば、ユーザがＡ４サイズの用紙を横向きで載置する場合には、図４（ｃ）に示すように、ガイド４０２の位置を調整する。センサ４０４は、例えば光センサであり、用紙がセットされたことを検知する。ユーザが用紙をセットすると、センサ４０４上に用紙が位置することになり、コントローラ１０１は、手差しトレイ４０１に用紙がセットされたことを検出する。
【００１７】
［用紙サイズ設定画面］
図５は、手差しトレイ３０４にセットされる用紙サイズ及び用紙種類を設定するための設定画面を示す図である。図５に示す設定画面は、液晶ディスプレイ２０６上に表示される。ユーザが図５（ａ）の用紙選択画面５０１上で手差しキー５０２又は手差し用紙変更予約キー５０３を押下すると、図５（ｂ）の用紙サイズ選択画面５０５が表示される。ユーザは、用紙サイズ選択画面５０５に表示された一覧上で、手差しトレイ３０４に設定する用紙サイズを複数から選択することができる。用紙サイズ選択画面５０５上で表示される内容については、各実施例において後述する。ユーザが用紙サイズ選択画面５０５上で表示された使用可能な用紙サイズを示すボタン群から所望の用紙サイズを選択して「次へ」ボタン５０６を押下すると、図５（ｃ）の用紙種類変更画面５０７が表示される。ユーザが用紙種類変更画面５０７上で表示された使用可能な用紙種類を示すボタン群から所望の用紙種類を選択して「ＯＫ」ボタン５０８を押下すると、用紙選択画面５０１の表示に戻る。さらに、ユーザがＯＫボタン５０４を押下すると、本設定処理を終了する。
【００１８】
以下、各実施例においては、画像形成装置１００の特定の応用機能を実行する場合に、カセットトレイ３０５に既に設定されている用紙サイズと、その応用機能の設定とに基づいて、用紙サイズ選択画面５０５上に表示され得る用紙サイズを絞り込んで表示する。その結果、応用機能の実行に必要な用紙サイズのみを、カセットトレイ３０５に既に設定されている用紙サイズを考慮して表示するので、ユーザが手差しトレイ３０４にセットすべき用紙サイズを選定する際の効率を向上させることができる。ここで、応用機能とは、例えば、ＬＴＲ（レター）／ＬＧＬ（リーガル）混載機能である。ＬＴＲ／ＬＧＬ混載機能とは、次のような機能をいう。まず、画像形成装置１００が、スキャナ部３０１のフィーダ（ＤＦ）から、ＬＴＲサイズの原稿とＬＧＬサイズの原稿が混在している原稿束をスキャナ部３０１で１度に読み込む。そして、画像形成装置１００が、各ページについて、スキャナ部３０１で検出された原稿サイズと同じ用紙サイズで印刷出力する機能をいう。一般的に、ＬＴＲサイズとは、２１５．９ｍｍ×２７９．４ｍｍであり、ＬＧＬサイズとは、２１５．９ｍｍ×３５５．６ｍｍである。
【００１９】
［手差しトレイの用紙サイズ設定］
図６は、ユーザが画像形成装置１００で設定した応用機能を、手差しトレイ３０４を用いて実行する際の処理の手順の概要を示すフローチャートである。図６のフローチャートは、後述する各例に共通する。図６の各処理は、例えば、ＣＰＵ２０１により実行される。Ｓ６０１において、ＣＰＵ２０１は、液晶ディスプレイ２０６又はＰＣ１０７を介して、ユーザによる応用機能の設定を受け付ける（指示受付の一例）。ここでは、例えば、ＬＴＲ／ＬＧＬ混載機能の設定における手差しトレイ３０４の使用の可否を受け付ける。Ｓ６０２において、ＣＰＵ２０１は、カセットトレイ３０５に既に設定されている用紙サイズと、Ｓ６０１で設定された応用機能の設定とから、画像形成装置１００で使用可能な全ての用紙サイズのうち、手差しトレイ３０４で使用され得る用紙サイズを絞り込む。絞り込み方の例は、図９や図１５を用いて説明する。Ｓ６０３において、ＣＰＵ２０１は、Ｓ６０２で特定された用紙サイズのリストを図５（ｂ）の用紙サイズ選択画面５０５として表示する（表示制御の一例）。Ｓ６０４において、ＣＰＵ２０１は、用紙サイズ選択画面５０５上でユーザが選択した用紙サイズを受け付け（選択受付の一例）、その用紙サイズを手差しトレイ３０４に設定する。Ｓ６０５において、ＣＰＵ２０１は、後続して表示された用紙種類変更画面５０７上でユーザが選択した用紙種類を、手差しトレイ３０４に設定する。Ｓ６０６において、ＣＰＵ２０１は、スキャナ２０５やＰＣ１０７から、画像データを取得する。Ｓ６０７において、ＣＰＵ２０１は、取得した画像データに基づいて、プリンタ２０４により印刷する。その印刷の際には、手差しトレイ３０４若しくはカセットトレイ３０５にセットされた用紙が使用される。
【００２０】
以上の説明では、Ｓ６０２で使用可能な用紙サイズを絞り込んだ後、必ずユーザが用紙サイズ選択画面５０５上で用紙サイズの指示を行っている。しかしながら、Ｓ６０２で１つの特定の用紙サイズまで絞り込むことができた場合には、その絞り込んだ用紙サイズをユーザの選択指示を介することなく、自動的に手差しトレイ３０４に設定するようにしても良い。その場合の処理について、図７を参照しながら説明する。
【００２１】
図７のＳ７０１において、ＣＰＵ２０１は、Ｓ６０１と同様に、液晶ディスプレイ２０６又はＰＣ１０７を介して、ユーザによる応用機能の設定を受け付ける。Ｓ７０２において、ＣＰＵ２０１は、カセットトレイ３０５に既に設定されている用紙サイズと、Ｓ７０１での応用機能の設定の受付とから、画像形成装置１００で使用可能な全ての用紙サイズのうち、手差しトレイ３０４で使用され得る用紙サイズを絞り込む。その際に、ＣＰＵ２０１は、１つの特定のサイズまで絞り込むことができたか否かを判定する。ここで、１つの特定のサイズまで絞り込むことができたと判定された場合にはＳ７０３に進み、一方、１つの特定のサイズまで絞り込むことができなかったと判定された場合にはＳ７０４に進む。Ｓ７０３において、ＣＰＵ２０１は、Ｓ７０２で絞り込まれた１つの特定のサイズを、手差し用紙トレイ３０４に設定する。その際に、その特定された１つのサイズを、ユーザが認識可能なように表示する。Ｓ７０４〜Ｓ７０８は、図６のＳ６０３〜Ｓ６０７における説明と同じである。
【００２２】
［１段のカセットトレイと手差しトレイを備える画像形成装置の例］
以下、各具体例について説明する。まず、１段のカセットトレイ３０５と手差しトレイ３０４とから成る画像形成装置１００において、ＬＴＲ（レター）／ＬＧＬ（リーガル）混載機能が設定されている場合の手差し用紙サイズの絞り込みの処理について、図８及び図９を参照しながら説明する。
【００２３】
図９は、カセットトレイ３０５にＬＴＲサイズ又はＬＧＬサイズの原稿がセットされている場合の手差し用紙サイズの絞り込みの処理の手順を示すフローチャートである。図９に示す処理は、例えば、ＣＰＵ２０１により実行される。Ｓ９０１において、ＣＰＵ２０１は、操作部２０６又はＰＣ１０７を介して、ユーザによるＬＴＲ／ＬＧＬ混載機能の設定を受け付ける。ここで、Ｓ９０１の一例を説明する。ユーザが図１２に示すようなコピー機能の設定画面１２００上で、原稿サイズ混載ボタン１２０１を押下する。設定画面１２００は、ＭＦＰ等でディスプレイに表示される一般的なコピー機能の詳細設定画面である。原稿サイズ混載ボタン１２０１が押下されると、図１３に示す原稿サイズ混載機能の設定画面１３００がさらに表示される。ユーザは、設定画面１３００上で、原稿台に載置する原稿の幅が同じであるか、若しくは、異なるかを選択する。ユーザがボタン１３０１又は１３０２を選択し、ＯＫボタン１３０３を押下することにより、ＣＰＵ２０１は、ＬＴＲ／ＬＧＬ混載機能の設定を受け付けることができる。ここで、設定画面１３００上で、手差しトレイ３０４の使用の可否をボタン等で設定できるようにしても良い。以下、手差しトレイ３０４を使用すると設定されたとして説明する。
【００２４】
Ｓ９０２において、ＣＰＵ２０１は、カセットトレイ３０５に既に設定されている用紙サイズと、Ｓ９０１でのＬＴＲ／ＬＧＬ混載機能の設定の受付けとから、手差しトレイ３０４で使用され得る用紙サイズ（ＬＴＲサイズ又はＬＧＬサイズ）を絞り込んで特定する。例えば、ＬＴＲ／ＬＧＬ混載機能の設定を受け付けて、カセットトレイ３０５にＬＴＲサイズの用紙がセットされていると判定した場合、ＣＰＵ２０１は、手差しトレイ３０４で使用され得る用紙サイズをＬＧＬサイズに絞り込んで特定する。一方、ＬＴＲ／ＬＧＬ混載機能の設定を受け付けて、カセットトレイ３０５にＬＧＬサイズの用紙がセットされていると判定した場合、ＣＰＵ２０１は、手差しトレイ３０４で使用され得る用紙サイズをＬＴＲサイズに絞り込んで特定する。Ｓ９０３において、ＣＰＵ２０１は、手差し用紙サイズを特定できた場合にはユーザの指定を介さずに自動的に、特定された手差し用紙サイズを手差しトレイ３０４に設定するように予め設定されているか否かを判定する。ここで、予め設定されていると判定された場合にはＳ９０４に進み、一方、予め設定されていないと判定された場合にはＳ９０５に進む。なお、手差し用紙サイズを特定できた場合にユーザの指定を介さずに自動的に、特定された手差し用紙サイズを手差しトレイ３０４に設定するか否の設定は、例えば、ＬＴＲ／ＬＧＬ混載機能の設定画面１３００上で受け付ければよい。
【００２５】
Ｓ９０４において、ＣＰＵ２０１は、Ｓ９０２で特定された用紙サイズを、手差しトレイ３０４に設定する。その際、カセットトレイ３０５にＬＴＲサイズの用紙がセットされているならば、ＬＧＬサイズを手差し用紙サイズとして手差しトレイ３０４に設定する。又は、カセットトレイ３０５にＬＧＬサイズの用紙がセットされているならば、ＬＴＲサイズを手差し用紙サイズとして手差しトレイ３０４に設定する。
【００２６】
Ｓ９０５に処理を進めた場合、ＣＰＵ２０１は、Ｓ９０２で特定された用紙サイズを、選択可能な用紙選択リストとして液晶ディスプレイ２０６に表示する。その際、カセットトレイ３０５にＬＴＲサイズの用紙がセットされているならば、ＣＰＵ２０１は、液晶ディスプレイ２０６に図８（ａ）の画面８０１を表示する。もしくは、ＣＰＵ２０１は、図８（ｃ）の画面８０３のように、Ｓ９０２で特定された用紙サイズ８０４の他に、その他ボタン８０５を表示するようにしても良い。その際に、ユーザは、その他ボタン８０５を押下すると、用紙選択リストから外された用紙サイズのリストに移動することができる。Ｓ９０５でユーザが「次へ」ボタン８０６を押下すると、Ｓ９０６に進む。
【００２７】
また、カセットトレイ３０５にＬＧＬサイズの用紙がセットされているならば、ＣＰＵ２０１は、液晶ディスプレイ２０６に図８（ｂ）の画面８０２を表示する。もしくは、ＣＰＵ２０１は、図８（ｄ）の画面８０７のように、Ｓ９０２で特定された用紙サイズ８０８の他に、その他ボタン８０９を表示するようにしても良い。その際に、ユーザは、その他ボタン８０９を押下すると、用紙選択リストから外された用紙サイズのリストに移動することができる。
【００２８】
このように、Ｓ９０５で、ＣＰＵ２０１は、カセットトレイ３０５にセットされていないサイズの用紙を、その他のサイズの用紙に優先して、選択可能な用紙候補リストとして画面に表示する。なお、優先の仕方は、図８のように、その他のサイズの用紙を表示することなく、カセットトレイ３０５にセットされていないサイズの用紙のみを表示する方法に限られない。例えば、ＣＰＵ２０１は、カセットトレイ３０５にセットされていないサイズの用紙の候補を、その他のサイズの用紙と比較して大きく表示してもよい。
【００２９】
Ｓ９０６において、ＣＰＵ２０１は、用紙種類変更画面５０７を表示するとともに、Ｓ９０５で表示された用紙選択リストからユーザが指定した用紙サイズを、手差しトレイ３０４に設定する。Ｓ９０７において、ＣＰＵ２０１は、用紙種類変更画面５０７上でユーザが指定した用紙種類を手差しトレイ３０４に設定する。Ｓ９０８において、ＣＰＵ２０１は、スキャナ２０５やＰＣ１０７から、画像データを取得する。Ｓ９０９において、ＣＰＵ２０１は、取得した画像データに基づいて、プリンタ２０４により印刷の実行を開始する。
【００３０】
［用紙切れが発生した場合］
次に、用紙なしエラー（用紙切れ）が発生した場合の手差し用紙サイズの設定処理について、図１０及び図１１を参照しながら説明する。図１１は、用紙なしエラーが発生した場合の手差し用紙サイズの設定の処理の手順を示すフローチャートである。図１１に示す処理は、例えば、ＣＰＵ２０１により実行される。Ｓ１１０１において、ＣＰＵ２０１は、図９のＳ９０１と同様に、操作部２０６又はＰＣ１０７を介して、ユーザによるＬＴＲ／ＬＧＬ混載機能の設定を受け付ける。Ｓ１１０２において、ＣＰＵ２０１は、ＬＴＲ／ＬＧＬ混載機能の設定において手差しトレイ３０４の使用が設定されているか否かを判定する。これは、例えば、ユーザが一般的な印刷設定画面において、手差しトレイ３０４を指定しているか否かによって判定しても良い。若しくは、図１３に示す設定画面１３００上で不図示の、使用トレイの設定メニューの設定内容に基づいて判定しても良い。Ｓ１１０２で手差しトレイ３０４の使用が設定されていると判定された場合にはＳ１１０３に進み、手差しトレイ３０４の使用が設定されていないと判定された場合にはＳ１１０８に進む。Ｓ１１０３〜Ｓ１１０９の各処理はそれぞれ、図７のＳ７０２〜Ｓ７０８における説明と同じである。
【００３１】
Ｓ１１１０において、ＣＰＵ２０１は、ＬＴＲ／ＬＧＬ混載機能に必要なサイズの用紙がなくなったことがカセットトレイ３０５で検出されたか否かに基づいて、用紙切れであるか否かを判定する。ここで、用紙が切れであると判定された場合には、現在の印刷を中断し（印刷制御の一例）、液晶ディスプレイ２０６に用紙なしエラーを表示してＳ１１１１に進む。一方、用紙切れでないと判定された場合には、そのまま、印刷を継続し、Ｓ１１１５に処理を進める。
【００３２】
Ｓ１１１０で用紙切れであると判定されたカセットトレイ３０５の用紙サイズがＬＴＲサイズである場合には、ＣＰＵ２０１は、液晶ディスプレイ２０６に、図１０（ａ）に示す画面１００１を表示する。その際に、用紙なしエラーが発生した用紙サイズを表示１００２に表示し、手差しボタン１００３は、ユーザが選択不可なようにグレーアウトしている。一方、用紙サイズがＬＧＬサイズである場合には、ＣＰＵ２０１は、液晶ディスプレイ２０６に、図１０（ｂ）に示す画面１００４を表示する。その際に、用紙なしエラーが発生した用紙サイズを表示１００５に表示し、手差しボタン１００６は、ユーザが選択不可なようにグレーアウトしている。
【００３３】
図１０に示す画面１００１又は１００４が表示されると、ユーザは、手差しトレイ３０４に用紙なしエラーが発生した用紙をセットする。つまり、画面１００１が表示された場合には、ユーザは、手差しトレイ３０４にＬＴＲサイズの用紙をセットし、画面１００４が表示された場合には、ユーザは、手差しトレイ３０４にＬＧＬサイズの用紙をセットする。Ｓ１１１１において、ＣＰＵ２０１は、ユーザにより手差しトレイ３０４に用紙がセットされたことをセンサ４０４により検出する。
【００３４】
Ｓ１１１２において、ＣＰＵ２０１は、Ｓ１１１０で用紙なしエラーが発生した用紙サイズを自動的に手差しトレイ３０４に設定する。Ｓ１１１３において、ＣＰＵ２０１は、Ｓ１１１０で用紙なしエラーが発生した用紙サイズに対応する用紙種類を手差しトレイ３０４に設定する。Ｓ１１１４において、ＣＰＵ２０１は、プリンタ２０４による印刷を再開し、Ｓ１１１５に処理を進める。Ｓ１１１５で、ＣＰＵ２０１は、印刷が終了したか否かを判定し、印刷が終了した場合、図１１に示す処理を終了し、印刷が終了していないと判定した場合、Ｓ１１１０に処理を進める。
【００３５】
このように、応用機能に必要な用紙切れが発生した場合においても、その用紙切れとなった用紙サイズが自動的に手差しトレイ３０４に設定されるので、ユーザの設定作業の負担を軽減することができる。
【００３６】
〔実施例２〕
［２段以上のカセットトレイと手差しトレイを備える画像形成装置の例］
次に、２段以上のカセットトレイ３０５と手差しトレイ３０４とから成る画像形成装置１００において、ＬＴＲ／ＬＧＬ混載機能が設定されている場合の手差し用紙サイズの絞り込みの処理について、図１４及び図１５を参照しながら説明する。
【００３７】
図１５は、カセットトレイ３０５にＬＴＲサイズの用紙とＬＧＬサイズの用紙の両方がセットされている場合の手差し用紙サイズの絞り込みの処理の手順を示すフローチャートである。図１５に示す処理は、例えば、ＣＰＵ２０１により実行される。Ｓ１５０１において、ＣＰＵ２０１は、図９のＳ９０１と同様に、操作部２０６又はＰＣ１０７を介して、ユーザによるＬＴＲ／ＬＧＬ混載機能の設定を受け付ける。Ｓ１５０２において、ＣＰＵ２０１は、Ｓ１５０２において、ＣＰＵ２０１は、手差しトレイ３０４の使用が設定されているか否かを判定する。ここで、手差しトレイ３０４の使用が設定されていると判定された場合にはＳ１５０３に進み、手差しトレイ３０４の使用が設定されていないと判定された場合にはＳ１５０７に進み、原稿の読み込みを開始する。
【００３８】
Ｓ１５０３において、ＣＰＵ２０１は、カセットトレイ３０５に既に設定されている用紙サイズと、Ｓ１５０１でのＬＴＲ／ＬＧＬ混載機能の設定の受付けとから、手差しトレイ３０４で使用され得る用紙サイズ（ＬＴＲサイズ又はＬＧＬサイズ）を絞り込む。本実施例の場合には、カセットトレイ３０５にＬＴＲサイズとＬＧＬサイズの両サイズの用紙がセットされている。ここで、手差しトレイ３０４に設定され得る用紙サイズとしては、ＬＴＲサイズとＬＧＬサイズのいずれもが設定可能である。Ｓ１５０４において、ＣＰＵ２０１は、Ｓ１５０３で特定された用紙サイズを、選択可能な用紙選択リストとして図１４に示すように液晶ディスプレイ２０６に表示する。図１４に示すように、ＣＰＵ２０１は、ＬＴＲサイズとＬＧＬサイズの両方を選択可能な用紙リストとして表示し、それ以外のサイズの用紙を表示しない。なぜならば、ＬＴＲ／ＬＧＬ混載機能を使用するよう設定されているので、手差しトレイに設定される用紙サイズが、ＬＴＲサイズとＬＧＬサイズのいずれかに絞られるからである。ただし、この例では、ＬＴＲサイズの用紙もＬＧＬサイズの用紙もカセットトレイ３０５にセットされているので、ＬＴＲサイズとＬＧＬサイズの一方への絞り込みは行われない。ユーザは、図１４の用紙サイズ選択画面１４０１上において、手差しトレイ３０４に設定する用紙サイズを指定することができる。また、ユーザは、用紙サイズ選択画面１４０１上の「その他」ボタン１４０３を押下することで、用紙選択リストから外された用紙サイズのリストに移動することができる。Ｓ１５０４でユーザが「次へ」ボタン１４０２を押下すると、Ｓ１５０５に進む。
【００３９】
Ｓ１５０５において、ＣＰＵ２０１は、用紙種類変更画面５０７を表示するとともに、Ｓ１５０４で表示された用紙選択リストからユーザが選択した用紙サイズを、手差しトレイ３０４に設定する。Ｓ１５０６において、ＣＰＵ２０１は、用紙種類変更画面５０７上でユーザが指定した用紙種類を手差しトレイ３０４に設定する。Ｓ１５０７において、ＣＰＵ２０１は、スキャナ２０５やＰＣ１０７から、画像データを取得する。Ｓ１５０８において、ＣＰＵ２０１は、取得した画像データに基づいて、プリンタ２０４により印刷の実行を開始する。
【００４０】
［用紙切れが発生した場合］
次に、カセットトレイ３０５のＬＴＲサイズ若しくはＬＧＬサイズの用紙が用紙切れになった場合の手差し用紙サイズの絞り込みの処理について、図１４及び図１６を参照しながら説明する。図１６に示す処理は、例えば、ＣＰＵ２０１により実行される。Ｓ１６０１〜Ｓ１６０８はそれぞれ、Ｓ１５０１〜Ｓ１５０８における説明と同じである。
【００４１】
Ｓ１６０９において、ＣＰＵ２０１は、Ｓ１６０２で手差しトレイ３０４が使用されないと設定された場合に、次のように制御する。ＣＰＵ２０１は、カセットトレイ３０５にＬＴＲ／ＬＧＬ混載機能に必要なＬＴＲサイズ若しくはＬＧＬサイズの用紙がセットされていないことを検出すると、印刷を中断し、液晶ディスプレイ２０６に用紙なしエラーを表示する。Ｓ１６１０において、ＣＰＵ２０１は、Ｓ１６０９で用紙がセットされていないことが検出された用紙サイズのいずれを手差しトレイ３０４に設定するかを設定する画面を表示する。その際に、図１４に示すような画面を表示する。
【００４２】
Ｓ１６１１において、ＣＰＵ２０１は、Ｓ１６０９で用紙がセットされていないことが検出された用紙サイズに対応する用紙種類を手差しトレイ３０４に設定する。Ｓ１６１２において、ＣＰＵ２０１は、ユーザにより手差しトレイ３０４に用紙がセットされたことをセンサ４０４により検出する。Ｓ１６１３において、ＣＰＵ２０１は、プリンタ２０４による印刷を再開する。
【００４３】
このように、応用機能に必要な用紙切れが発生した場合においても、その用紙切れとなった用紙サイズが自動的に手差しトレイ３０４に設定されるので、ユーザの設定作業の負担を軽減することができる。
【００４４】
〔実施例３〕
次に、２段以上のカセットトレイ３０５と手差しトレイ３０４から成る画像形成装置１００において、回転ソート機能を設定した場合の動作について説明する。回転ソート機能とは、画像形成装置１００の応用機能の１つであり、各部ごとに、Ｈ用紙とＲ用紙とを交互に用いて印刷する機能をいう。ここで、Ｈ用紙とは、縦向きの用紙、つまり、用紙の長辺が搬送方向の先端になるように搬送される用紙をいう。また、Ｒ用紙とは、横向きの用紙、つまり、用紙の短辺が搬送方向の先端になるように搬送される用紙をいう。
【００４５】
以下、図１７、図１８を参照しながら、カセットトレイ３０５にＨ用紙のみ、又は、Ｒ用紙のみがセットされていた場合の、手差しトレイ３０４に設定されるべき用紙サイズの絞り込みの処理を説明する。
【００４６】
Ｓ１８０１において、ＣＰＵ２０１は、操作部２０６又はＰＣ１０７を介して、ユーザによる回転ソート機能の設定を受け付ける。ここで、Ｓ１８０１の一例を説明する。ユーザが図１９に示すような回転ソート機能の設定画面１９００上で、９０度回転ボタン１９０１を押下する。回転ソート機能自体は、一般的な機能であるので、設定画面１９００は、ＭＦＰ等でディスプレイに表示される一般的なコピー機能の詳細設定画面から表示することができる。９０度回転ボタン１９０１が押下されると、図２０に示す回転ソート機能の設定画面２０００がさらに表示される。ユーザは、設定画面２０００上で、１部毎に回転ソートするか、若しくは、ページ毎に回転ソートするかを選択する。ユーザがボタン２００１又は２００２を選択し、ＯＫボタン２００３を押下することにより、ＣＰＵ２０１は、回転ソート機能の設定を受け付けることができる。ここで、設定画面２０００上で、手差しトレイ３０４の使用の可否をボタン等で設定できるようにしても良い。以下、手差しトレイ３０４を使用すると設定されたとして説明する。
【００４７】
Ｓ１８０２において、ＣＰＵ２０１は、Ｓ１８０２において、ＣＰＵ２０１は、手差しトレイ３０４の使用が設定されているか否かを判定する。ここで、手差しトレイ３０４の使用が設定されていると判定された場合にはＳ１８０３に進み、手差しトレイ３０４の使用が設定されていないと判定された場合にはＳ１８０７に進み、原稿の読み込みを開始する。
【００４８】
Ｓ１８０３において、ＣＰＵ２０１は、カセットトレイ３０５に既に設定されている用紙サイズと、Ｓ１８０１での回転ソート機能の設定の受付けとから、手差しトレイ３０４で使用され得る用紙（Ｈ用紙又はＲ用紙）を絞り込んで特定する。本実施例の場合には、カセットトレイ３０５にＨ用紙もしくはＲ用紙をセット可能である。また、手差しトレイ３０４には、Ｈ用紙とＲ用紙のいずれもが設定可能である。また、例えば、カセットトレイ３０５にＲ用紙がセットされていた場合には、用紙選択画面１７０３が表示される。例えば、カセットトレイ３０５にＲ用紙がセットされていた場合には、用紙選択画面１７０１が表示される。用紙選択画面には、「Ａ４」「Ａ５」「Ｂ５」といったＨ用紙が選択可能な用紙選択リストとして表示される。一方、カセットトレイ３０５にＨ用紙がセットされていた場合には、用紙選択画面１７０１が表示される。用紙選択画面には、「Ａ４Ｒ」「Ａ５Ｒ」といったＲ用紙が選択可能な用紙選択リストとして表示される。このように、Ｓ１８０４において、ＣＰＵ２０１は、Ｓ１８０３で特定された用紙サイズを、選択可能な用紙選択リストとして液晶ディスプレイ２０６に表示する。ユーザは、図１７の用紙選択画面１７０１又は１７０３上において、手差しトレイ３０４に設定する用紙を指定することができる。また、ユーザは、用紙選択画面１７０１又は１７０３上の「その他」ボタン１７０５を押下することで、用紙選択リストから外された用紙サイズのリストに移動することができる。Ｓ１８０４でユーザが「次へ」ボタン１７０２又は１７０４を押下すると、Ｓ１８０５に進む。
【００４９】
Ｓ１８０５において、ＣＰＵ２０１は、用紙種類変更画面５０７を表示するとともに、Ｓ１８０４で表示された用紙選択リストからユーザが選択した用紙を、手差しトレイ３０４に設定する。Ｓ１８０６において、ＣＰＵ２０１は、用紙種類変更画面５０７上でユーザが指定した用紙種類を手差しトレイ３０４に設定する。Ｓ１８０７において、ＣＰＵ２０１は、スキャナ２０５やＰＣ１０７から、画像データを取得する。Ｓ１８０８において、ＣＰＵ２０１は、取得した画像データに基づいて、プリンタ２０４により印刷の実行を開始する。そして、Ｓ１８０９に処理を進める。
【００５０】
Ｓ１８０９において、ＣＰＵ２０１は、回転ソート機能に必要なサイズの用紙がなくなったことがカセットトレイ３０５で検出されたか否かに基づいて、用紙切れであるか否かを判定する。ここで、用紙が切れであると判定された場合には、現在の印刷を中断し（印刷制御の一例）、液晶ディスプレイ２０６に用紙なしエラーを表示してＳ１８１０に進む。一方、用紙切れでないと判定された場合には、そのまま、印刷を継続し、Ｓ１８１４に処理を進める。Ｓ１８１０で、ＣＰＵ２０１は、ユーザによって、手差しトレイ３０４に用紙がセットされたことを検知する。
【００５１】
Ｓ１８１１において、ＣＰＵ２０１は、Ｓ１８０９で用紙なしエラーが発生した用紙サイズを自動的に手差しトレイ３０４に設定する。Ｓ１８１２において、ＣＰＵ２０１は、Ｓ１１１０で用紙なしエラーが発生した用紙サイズに対応する用紙種類を手差しトレイ３０４に設定する。Ｓ１８１３において、ＣＰＵ２０１は、プリンタ２０４による印刷を再開し、Ｓ１８１４に処理を進める。Ｓ１８１４で、ＣＰＵ２０１は、印刷が終了したか否かを判定し、印刷が終了した場合、図１８に示す処理を終了し、印刷が終了していないと判定した場合、Ｓ１８０９に処理を進める。
【００５２】
このように、Ｈ用紙とＲ用紙とを交互に用いて印刷する回転ソート機能を用いて印刷を実行する場合に、カセットトレイに存在しない向きの用紙を、手差しトレイに設定可能な候補として表示する。それによって、ユーザの設定作業の負担を軽減することができる。
【００５３】
本実施形態におけるフローチャートに示す機能は、ネットワーク又は各種記憶媒体を介して取得したソフトウエア（プログラム）をコンピュータパソコン等の処理装置（CPU、プロセッサ）にて実行することでも実現できる。
【図１】
2014040049.tif 000003
【図２】
2014040049.tif 000004
【図３】
2014040049.tif 000005
【図４】
2014040049.tif 000006
【図５】
2014040049.tif 000007
【図６】
2014040049.tif 000008
【図７】
2014040049.tif 000009
【図８】
2014040049.tif 000010
【図９】
2014040049.tif 000011
【図１０】
2014040049.tif 000012
【図１１】
2014040049.tif 000013
【図１２】
2014040049.tif 000014
【図１３】
2014040049.tif 000015
【図１４】
2014040049.tif 000016
【図１５】
2014040049.tif 000017
【図１６】
2014040049.tif 000018
【図１７】
2014040049.tif 000019
【図１８】
2014040049.tif 000020
【図１９】
2014040049.tif 000021
【図２０】
2014040049.tif 000022